(57)【特許請求の範囲】
【請求項１】
読取部に載置された原稿を読み取る画像読取装置であって、
情報を表示する第１表示部と当該第１表示部に対する入力操作を受け付ける第１入力部とを有する第１入力表示部と、
前記読取部に対面する状態のときに前記読取部と対面する面部において、第２表示部と、所定の状態のときに当該第２表示部に対する入力操作を受け付けるための第２入力部とを有する第２入力表示部が備えられ、前記読取部との間に前記原稿を挟む原稿押さえ部と、
前記読取部に対する前記原稿押さえ部の対面状態を切替可能に前記原稿押さえ部を回動可能に支持する支持部と、
前記読取部に対する前記原稿押さえ部の対面状態を検出する検出部と、
前記検出部により検出された前記原稿押さえ部の対面状態に基づいて、前記第２入力表示部の動作と非動作とを切り替える制御部と、
を備えることを特徴とする画像読取装置。
【請求項２】
前記制御部は、前記原稿押さえ部が前記読取部に対面する場合に前記第２入力表示部を非動作とし、前記原稿押さえ部が前記読取部に対して対面しない場合に前記第２入力表示部を動作させることを特徴とする請求項１に記載の画像読取装置。
【請求項３】
前記制御部は、前記第２入力表示部を動作させる場合に前記第１表示部の表示内容に基づいて前記第２表示部の表示内容を決定することを特徴とする請求項１又は２に記載の画像読取装置。
【請求項４】
前記第１表示部の表示内容と前記第２表示部の表示内容とを対応付ける対応付け情報を記憶する記憶部を備え、
前記制御部は、前記第２入力表示部を動作させる場合に前記対応付け情報及び前記第１表示部の表示内容に基づいて前記第２表示部の表示内容を決定することを特徴とする請求項３に記載の画像読取装置。
【請求項５】
前記第２表示部は前記第１表示部に比して大きな表示領域を有し、
前記対応付け情報は、前記第１表示部に表示される一又は複数の表示内容と前記第２表示部に表示される一の表示内容とを対応付けることを特徴とする請求項４に記載の画像読取装置。
【請求項６】
前記対応付け情報は、前記第１表示部に表示される所定の表示内容を前記第２表示部に表示される表示内容と対応付けず、
前記制御部は、前記第１表示部に表示される所定の表示内容に対応する前記第２表示部の表示をさせないことを特徴とする請求項４又は５に記載の画像読取装置。
【請求項７】
前記制御部は、第１入力表示部又は第２入力表示部に対する入力操作により変更された情報を変更されていない情報と識別可能に表示させることを特徴とする請求項１から６のいずれか一項に記載の画像読取装置。
【請求項８】
前記原稿押さえ部とは別に、表示部及び入力部を有しない第２の原稿押さえ部を備え、前記原稿押さえ部と前記第２の原稿押さえ部とにより前記読取部の読取面部を覆うように構成され、前記第２の原稿押さえ部に自動原稿読取装置が備えられることを特徴とする請求項１から７のいずれか一項に記載の画像読取装置。
【発明の詳細な説明】
【技術分野】
【０００１】
本発明は、画像読取装置に関する。
【背景技術】
【０００２】
イメージスキャナやＭＦＰ（Multifunction Peripheral）等の画像読取装置に対し各種入力を行う方法として、画像読取装置にタッチパネルを設けて当該タッチパネルから入力を行う方法がある（例えば特許文献１）。タッチパネルは、情報を表示する表示部と当該表示部に対する入力操作を受け付ける入力部とを有し、表示部による表示内容に対して直接操作を行う感覚で入力を行うことができる装置である。
【先行技術文献】
【特許文献】
【０００３】
【特許文献１】特開２００３−２７４１０２号公報
【発明の概要】
【発明が解決しようとする課題】
【０００４】
近年、画像読取装置の機能は飛躍的に増加している。このような多機能な画像読取装置が備える機能として、例えば、外部機器を介さずに画像読取装置により読み取られた画像データを出力する機能や、画像データの色数や解像度、出力フォーマット等の各種条件を設定する機能、画像読取装置をローカルエリアネットワーク（LAN）等のコンピュータネットワークに直接接続する機能等が挙げられ、その他にも種々様々な機能がある。
【０００５】
画像読取装置の機能の増加に伴い、画像読取装置に対して入力する項目の数も増加している。その一方で、画像読取装置に対して上記特許文献１のタッチパネルによる入力を行う場合、表示内容の確認（視認）に支障をきたさない表示サイズで表示部に表示することができる情報量には限りがあるため、一の表示内容に基づく情報量及び入力可能な項目はタッチパネルの大きさに制限されてしまう。このため、多数の設定項目がある場合等において、従来のタッチパネルにより画像形成装置に対して入力を完了させるには、何度も表示部の内容を切り替えて入力操作を行う必要があり、ユーザは煩雑な作業を強いられていた。
【０００６】
タッチパネルを大型化させることにより、一の表示内容に基づく情報量を増加させることができる。しかしながら、単にタッチパネルを大型化させると、タッチパネルを設置するためのスペースが大型化してしまうので、タッチパネルの大型化のために画像読取装置の大型化を招く。
【０００７】
本発明は、画像読取装置を大型化させることなく一の表示内容に基づく情報量をより多くして当該表示内容に対する入力操作をより快適とすることである。
【課題を解決するための手段】
【０００８】
請求項１に記載の発明は、読取部に載置された原稿を読み取る画像読取装置であって、情報を表示する第１表示部と当該第１表示部に対する入力操作を受け付ける第１入力部とを有する第１入力表示部と、前記読取部に対面する状態のときに前記読取部と対面する面部において、第２表示部と、所定の状態のときに当該第２表示部に対する入力操作を受け付けるための第２入力部とを有する第２入力表示部が備えられ、前記読取部との間に前記原稿を挟む原稿押さえ部と、前記読取部に対する前記原稿押さえ部の対面状態を切替可能に前記原稿押さえ部を回動可能に支持する支持部と、前記読取部に対する前記原稿押さえ部の対面状態を検出する検出部と、前記検出部により検出された前記原稿押さえ部の対面状態に基づいて、前記第２入力表示部の動作と非動作とを切り替える制御部と、を備えることを特徴とする。
【０００９】
請求項２に記載の発明は、請求項１に記載の画像読取装置であって、前記制御部は、前記原稿押さえ部が前記読取部に対面する場合に前記第２入力表示部を非動作とし、前記原稿押さえ部が前記読取部に対して対面しない場合に前記第２表示入力部を動作させることを特徴とする。
【００１０】
請求項３に記載の発明は、請求項１又は２に記載の画像読取装置であって、前記制御部は、前記第２入力表示部を動作させる場合に前記第１表示部の表示内容に基づいて前記第２表示部の表示内容を決定することを特徴とする。
【００１１】
請求項４に記載の発明は、請求項３に記載の画像読取装置であって、前記第１表示部の表示内容と前記第２表示部の表示内容とを対応付ける対応付け情報を記憶する記憶部を備え、前記制御部は、前記第２入力表示部を動作させる場合に前記対応付け情報及び前記第１表示部の表示内容に基づいて前記第２表示部の表示内容を決定することを特徴とする。
【００１２】
請求項５に記載の発明は、請求項４に記載の画像読取装置であって、前記第２表示部は前記第１表示部に比して大きな表示領域を有し、前記対応付け情報は、前記第１表示部に表示される一又は複数の表示内容と前記第２表示部に表示される一の表示内容とを対応付けることを特徴とする。
【００１３】
請求項６に記載の発明は、請求項４又は５に記載の画像読取装置であって、前記対応付け情報は、前記第１表示部に表示される所定の表示内容を前記第２表示部に表示される表示内容と対応付けず、前記制御部は、前記第１表示部に表示される所定の表示内容に対応する前記第２表示部の表示をさせないことを特徴とする。
【００１４】
請求項７に記載の発明は、請求項１から６のいずれか一項に記載の画像読取装置であって、前記制御部は、第１入力表示部又は第２入力表示部に対する入力操作により変更された情報を変更されていない情報と識別可能に表示させることを特徴とする。
請求項８に記載の発明は、請求項１から７のいずれか一項に記載の画像読取装置であって、前記原稿押さえ部とは別に、表示部及び入力部を有しない第２の原稿押さえ部を備え、前記原稿押さえ部と前記第２の原稿押さえ部とにより前記読取部の読取面部を覆うように構成され、前記第２の原稿押さえ部に自動原稿読取装置が備えられることを特徴とする。
【発明の効果】
【００１５】
本発明によれば、画像読取装置を大型化させることなく一の表示内容に基づく情報量をより多くして当該表示内容に対する入力操作をより快適とすることができる。
【図面の簡単な説明】
【００１６】
【図１】本発明による画像読取装置の一実施形態であるＭＦＰのブロック図である。
【図２】ＭＦＰの斜視図を示す図である。
【図３】第１表示部の表示内容と第２表示部の表示内容との対応関係の一例を示す図である。
【図４】第１表示部の表示内容と第２表示部の表示内容との対応関係の別の一例を示す図である。
【図５】第２表示部の表示内容の一例を示す。
【図６】原稿押さえ位置検出部による原稿押さえ部の位置検出の一例を示す図である。図６（Ａ）は、原稿押さえ部の面部が読取部の読取面部と対面する一例を示す図である。図６（Ｂ）は、原稿押さえ部の面部が読取部の読取面部に対して対面しない一例を示す図である。
【図７】対応付けテーブルの内容の一例を示す図である。
【図８】入力操作により変更された情報を変更されていない情報と識別可能に表示する第２表示部の表示内容の一例を示す図である。
【図９】ＭＦＰ１の処理の流れの一例を示すフローチャートのうち、ステップＳ１〜Ｓ１１、ステップＳ１４〜Ｓ１７を示す図である。
【図１０】ＭＦＰ１の処理の流れの一例を示すフローチャートのうち、ステップＳ１２、Ｓ１３、Ｓ１８、Ｓ１９を示す図である。
【図１１】原稿押さえ部の一部分に第２入力表示部を設けた一例を示す図である。
【発明を実施するための形態】
【００１７】
以下、図を参照して本発明の実施の形態の例を詳細に説明する。
図１に、本発明による画像読取装置の一実施形態であるＭＦＰ１のブロック図を示す。
図２に、ＭＦＰ１の斜視図を示す。
ＭＦＰ１は、ＣＰＵ１１、ＲＡＭ１２、ＲＯＭ１３、記憶部１４、外部機器接続部１５、読取部１６、画像処理部１７、印刷部１８、第１入力表示部１９、第２表示第１入力部１９ｂ、原稿押さえ位置検出部２１及び入力表示制御部２２を備え、これらの各構成はバス２３により接続される。
【００１８】
ＣＰＵ１１は、ＲＯＭ１３内に記憶されたプログラムと協働し、ＲＡＭ１２に展開されたプログラムやデータ等に従ってＭＦＰ１の動作制御を行う。
ＲＡＭ１２は、ＣＰＵ１１の処理によって展開されたデータや、当該処理によって一時的に生じたデータ等を格納する。
ＲＯＭ１３は、ＣＰＵ１１によって読み出されるプログラムやデータ等を記憶する。
【００１９】
記憶部１４は、ＣＰＵ１１によって読み出されるプログラムやデータ等を記憶する。記憶部１４は、プログラムやデータ等を書き換え可能な記憶装置である。記憶部１４は、例えばフラッシュメモリやハードディスクドライブ、その他の書き換え可能な記憶装置又はそれらの記憶装置の組合せ等によって構成される。
【００２０】
外部機器接続部１５は、外部機器との間でデータ伝送を行う。外部機器接続部１５は、例えばネットワークインターフェースカード（Network Interface Card、ＮＩＣ）等の通信装置を有し、回線を通じて外部の機器とデータ伝送を行う。外部機器接続部１５によるデータ伝送は、有線／無線を問わず、またそのプロトコルやその他の接続形式に関する条件（例えば規格等）を問わないが、本実施形態では、外部機器接続部１５は、ローカルエリアネットワークの回線Ｎを介して外部機器と通信を行う。
【００２１】
読取部１６は、原稿を読み取って画像データを生成する。
読取部１６は、例えば図２に示すように略水平に設けられた読取面部１６ａを有する。読取部１６は、読取面部１６ａに載置された原稿に下方から光を照射し、その反射光を検知する。読取部１６は、さらに、ＣＣＤ（Charge Coupled Devic）イメージセンサやＣＭＯＳ（Complementary Metal Oxide Semiconductor）イメージセンサ等のイメージセンサを備え、これらのイメージセンサにより反射光を検知して電気信号に変換し、当該電気信号に基づいて画像データを生成する。
【００２２】
読取部１６による原稿の読取は、所定の入力処理に応じて行われる。本実施形態では、ジョブ開始ボタンＣ１に対する入力操作が行われることで原稿の読取（ジョブ）が開始される。ジョブ開始ボタンＣ１は、延出部３に設けられている。延出部３は、ＭＦＰ１の筐体２から側方に延出するよう設けられており、第１入力表示部１９やジョブ開始ボタンＣ１、その他の図示しない各種の入力装置を備える。
【００２３】
画像処理部１７は、外部機器接続部１５を介して入力された画像データや読取部１６により取得された画像データ等に対して所定の画像処理を施す。画像処理部１７は、例えば、画像データに対してディザ処理を施し、印刷部１８へ入力する。
印刷部１８は、画像処理部１７から入力されたデータに基づく印刷を行う。
【００２４】
第１入力表示部１９は、第１表示部１９ａ及び第１入力部１９ｂを備える。
第１表示部１９ａは、ＭＦＰ１の動作に係る各種の情報を表示する。
第１表示部１９ａは、例えば液晶ディスプレイや有機エレクトロルミネセンス（Electro-Luminescence、ＥＬ）ディスプレイ等の表示装置により構成され、ＣＰＵ１１の制御下で情報表示を行う。
【００２５】
第１入力部１９ｂは、第１表示部１９ａに対する入力操作を受け付ける。
第１入力部１９ｂは、透過性を有する膜状の入力受付部（図示略）を有し、当該入力受付部は第１表示部１９ａの表示面を覆うよう設けられる。
例えば、入力受付部は、透過性を有する金属薄膜を２枚対向させるよう設けられた構成を有し、そのうち一方の金属薄膜に電圧がかけられている。ユーザにより第１表示部１９ａの表示面に対する入力操作（押圧操作）が行われると、当該入力操作が行われた位置に応じて他方の金属薄膜に電圧が生じる。第１入力部１９ｂは、他方の金属薄膜に生じた電圧に基づいてユーザにより入力操作が行われた位置を特定する。
第１表示部１９ａの表示内容と第１入力部１９ｂにより特定された入力操作内容との協働により、第１入力表示部１９はタッチパネルとして機能する。
【００２６】
第２入力表示部２０は、第２表示部２０ａと第２入力部２０ｂとを備える。
第２入力表示部２０は、第１入力表示部１９と別個に設けられたタッチパネルであり、ＭＦＰ１の動作に係る各種の情報を表示する。第２表示部２０ａは、図２に示す原稿押さえ部４の面部５に設けられ、ＭＦＰ１の動作に係る各種の情報を表示する。第２表示部２０ａの表示面の大きさ（面積）は、第１表示部１９ａの表示面の大きさ（面積）に比して大きい。つまり、第２表示部２０ａは第１表示部１９ａに比して大きな表示領域を有する。
【００２７】
図３、図４に、第１表示部１９ａの表示内容と第２表示部２０ａの表示内容との対応関係の一例を示す。
第２表示部２０ａは、第１表示部１９ａに比して大きな表示領域を有するので、第１表示部１９ａに比してより多くの情報を表示させることができる。例えば、図３に示すように、第１表示部１９ａでは複数のタブ（例えばタブＴ１〜Ｔ５）の表示切替により表示される複数の項目について、第２表示部２０ａは当該複数の項目を閲覧可能な状態で一画面中に収めて表示することができる。また、図４に示すように、第１表示部１９ａでは閲覧のためにスクロールバーＢ１に対する入力操作を要する複数の項目や、複数の画面の表示内容（例えば画面１０２ａ、１０２ｂ等）について、第２表示部２０ａは当該複数の項目を閲覧可能な状態で一画面中に収めて表示することができる。加えて、図４に示す例の場合、第１表示部１９ａでは表示されていない各項目に関する情報についても、第２表示部２０ａは当該複数の項目を閲覧可能な状態で一画面中に収めて表示することができる（例えば図４に示す情報Ｉ等）。
【００２８】
図５に、第２表示部２０ａの表示内容の一例を示す。
図４の第１表示部１９ａでは、階層形式で管理されて各階層に対応する表示内容を表示する等のために表示内容の切替を要する複数の画面の表示内容について、第２表示部２０ａによる表示では、一の表示画面内で多層形式の表示を行うことができる。例えば、図５に示すように、「トレイ設定」の「トレイ１」の用紙サイズを設定する場合に、選択可能な用紙サイズを示す層（レイヤーＲ）が同一画面内に表示される。当該層内に表示された用紙サイズからいずれかが選択されると、選択された用紙サイズが「トレイ１」の用紙サイズとして設定され、当該層の表示はなされなくなる。他の設定項目や、他の表示内容についても同様の処理を行うことができる。
【００２９】
第２入力部２０ｂは、第２表示部２０ａの表示面を覆うよう設けられた入力装置であり、第２表示部２０ａに対する入力操作を受け付ける。
第２表示部２０ａ、第２入力部２０ｂの具体的構成は、大きさ及び設置場所を除いて第１表示部１９ａ、第１入力部１９ｂと同様である。
【００３０】
第２入力表示部２０が設けられる原稿押さえ部４の面部５は、読取部１６の読取面部１６ａと対向する位置において読取面部１６ａと協働して原稿（例えば紙書類等）を挟むことができるよう設けられる。
本実施形態の原稿押さえ部４は、支持部６を回動軸として読取面部１６ａに対して回動可能に設けられる。原稿押さえ部４が読取面部１６ａに対する回動角度を変化させることにより、面部５が読取面部１６ａに対向する位置と面部５が読取面部１６ａに対して非対向となる位置との切替がなされる。つまり、支持部６は、読取部１６の読取面部１６ａに対する原稿押さえ部４の面部５の対向と非対向とを切替可能に原稿押さえ部４を支持する。
【００３１】
原稿押さえ位置検出部２１は、原稿押さえ部４の面部５が読取部１６の読取面部１６ａに対向する位置にあるか非対向の位置にあるかを検出する。
図６（Ａ）、（Ｂ）に、原稿押さえ位置検出部２１による原稿押さえ部４の位置検出の一例を示す。図６（Ａ）は、原稿押さえ部４の面部５が読取部１６の読取面部１６ａに対向する位置にある一例を示す。図６（Ｂ）は、原稿押さえ部４の面部５が読取部１６の読取面部１６ａに対して非対向の位置にある一例を示す。
原稿押さえ位置検出部２１は、例えば光を照射してその反射光を検知することで対象物の有無を検知する光センサＬを有し、反射光の検知の有無に基づいて、原稿押さえ部４の面部５が読取部１６の読取面部１６ａに対向する位置にあるか非対向の位置にあるかを検出する。
【００３２】
例えば、図６（Ａ）に示す一例のように、読取部１６の読取面部１６ａに載置された原稿（紙媒体Ｋ）を読取面部１６ａと原稿押さえ部４の面部５とで挟むように原稿押さえ部４を下方へ回動させて閉じた状態としたとき、原稿押さえ部４の面部５は読取部１６の読取面部１６ａに対向する。このとき、原稿押さえ位置検出部２１の光センサＬは原稿押さえ部４により反射された反射光を検知する。
一方、図６（Ｂ）に示す一例のように、読取部１６の読取面部１６ａに載置された原稿（紙媒体Ｋ）の上方を開放するように原稿押さえ部４を上方へ回動させて開いた状態としたとき、原稿押さえ部４の面部５は読取部１６の読取面部１６ａに対して非対向の位置にある。このとき、原稿押さえ位置検出部２１の光センサＬは原稿押さえ部４により反射された反射光を検知しない。
【００３３】
入力表示制御部２２は、第１入力表示部１９及び第２入力表示部２０の動作を制御する。以下、入力表示制御部２２による第１入力表示部１９及び第２入力表示部２０の動作制御について説明する。
【００３４】
入力表示制御部２２は、原稿押さえ部４の対面状態に基づいて、第２入力表示部２０のの動作と非動作とを切り替える。入力表示制御部２２は、原稿押さえ位置検出部２１により検出された原稿押さえ部４の位置を取得し、原稿押さえ部４の対面状態を特定する。そして、入力表示制御部２２は、原稿押さえ部４が読取部１６に対向する位置にある場合に第２入力表示部２０を非動作とし、原稿押さえ部４が読取部１６に対して非対向の位置にある場合に第２入力表示部２０を動作させる。
【００３５】
入力表示制御部２２は、原稿押さえ位置検出部２１により原稿押さえ部４の対面状態の変化が検出された場合に、第２入力表示部２０の動作状態を切り替える。具体的には、入力表示制御部２２は、原稿押さえ部４が読取部１６に対向する位置となった場合に第２入力表示部２０の動作を終了させて非動作とし、原稿押さえ部４が読取部１６に対して非対向の位置となった場合に第２入力表示部２０を動作させる。
【００３６】
入力表示制御部２２は、ファームウェア等のプログラムを読み出して動作する回路であり、第１入力表示部１９及び第２入力表示部２０の動作状態の切替に際して第１表示部１９ａの表示内容と第２表示部２０ａの表示内容を連動させる動作制御を行う。
具体的には、第２入力表示部２０の動作時において、第１入力表示部１９に対する入力内容に応じて第１表示部１９ａの表示内容に変更を生じた場合、入力表示制御部２２は、第１表示部１９ａの表示内容に生じた変更に基づいて第２表示部２０ａの表示内容を変更させる。同様に、第２入力表示部２０の動作時において、第２入力表示部２０に対する入力内容に応じて第２表示部２０ａの表示内容に変更を生じた場合、入力表示制御部２２は、第２表示部２０ａの表示内容に生じた変更に基づいて第１表示部１９ａの表示内容を変更させる。
【００３７】
また、入力表示制御部２２は、第１表示部１９ａの表示内容と対応付けテーブルに基づいて第２表示部２０ａの表示内容を決定する。
図７に、対応付けテーブルの内容の一例を示す。
対応付けテーブルは、記憶部１４に記憶されている。
対応付けテーブルは、第１表示部１９ａに表示される一又は複数の表示内容と第２表示部２０ａに表示される一の表示内容とを対応付ける。例えば、図３に示す第１表示部１９ａの画面１０１ａは対応付けテーブルにより第２表示部２０ａの画面１０１と対応付けられている。また、図４に示す第１表示部１９ａの画面１０２ａ、１０２ｂ等、その他図示しない画面を含む複数の画面は、第２表示部２０ａの画面１０２と対応付けられている。
【００３８】
第２入力表示部２０を動作させるにあたり、入力表示制御部２２は、第１表示部１９ａの表示内容及び対応付けテーブルを取得する。次に、入力表示制御部２２は、取得した第１表示部１９ａの表示内容と対応付けられた第２表示部２０ａの表示内容を対応付けテーブルにより特定する。そして、入力表示制御部２２は、第２入力表示部２０を動作させるにあたり、特定された表示内容を第２表示部２０ａに表示させる。
【００３９】
なお、第１表示部１９ａに表示される所定の表示内容については、第２表示部２０ａに表示される表示内容と対応付けされない。
例えば、図７に示す対応付けテーブルは、第１表示部１９ａに表示されるパスワード設定画面については、対応する第２表示部２０ａの画面を設けてない。
入力表示制御部２２は、対応付けテーブルにおいて第２表示部２０ａの表示内容と対応付けされていない第１表示部１９ａの表示内容については、第２表示部２０ａに表示させない。
【００４０】
パスワードのように高い秘匿性を求められる情報を第２表示部２０ａに表示させないことで、パスワードを設定するユーザ以外の者にパスワードを見られる可能性を低減させることができる。パスワード設定画面に限らず、セキュリティに関する画面や、その他の秘匿性を求められる情報の表示について、対応付けテーブルにおいて第２表示部２０ａの表示内容と対応付けないことにより、第１表示部１９ａを用いた情報の入力の秘匿性を高めることができる。
【００４１】
入力表示制御部２２は、第１入力表示部１９又は第２入力表示部２０に対する入力操作により変更された情報を、変更されていない情報と識別可能に第１表示部１９ａ、第２表示部２０ａに表示させる。
図８を用いて、入力操作により変更された情報を変更されていない情報と識別可能に表示する第２表示部２０ａの表示内容の一例を示す。
例えば、図４に示す画面１０２に含まれる「トレイ設定」の「トレイ２」、「トレイ３」の用紙サイズ（Ａ４）の設定項目について、用紙サイズを変更した場合、図８に示すように、設定を変更された「トレイ２」、「トレイ３」の項目を囲う枠の内側の色が他の項目と異なる色で表示される。
図８では、第２表示部２０ａの場合について例示しているが、第１表示部１９ａについても同様に、変更された情報が変更されていない情報と識別可能に表示される。
【００４２】
なお、変更された情報と変更されていない情報とを識別可能に表示する方法は上記に限定されない。例えば、変更された情報を示す文字又は文字列の色を異なるものとする方法や、当該文字又は文字列に対する脚色を異なるものとする方法等が挙げられ、これらのいずれかを用いるか又は複数の方法を組み合わせることで変更された情報と変更されていない情報とを識別可能に表示することができる。文字又は文字列に対する脚色としては、文字の太さの差異や斜体の有無、下線等の付加的表示の有無、異なるフォントを用いる等の場合が一例として挙げられる。
また、図８では、「トレイ２」の用紙サイズを「Ｂ５」に、「トレイ３」の用紙サイズを「Ａ３」に変更した場合について示しているが、これに限定されるものではなく、他の用紙サイズに変更した場合、他の設定項目を変更した場合、他の表示内容において情報変更があった場合等についても同様の処理が行われる。
【００４３】
第２入力表示部２０を介した入力操作内容は、第２入力表示部２０の動作時のみ受け付けられ、当該入力操作内容に応じた情報がＣＰＵ１１へ入力される。第１入力表示部１９を介した入力操作内容は、第２入力表示部２０の動作／非動作に係らず受け付けられ、当該入力操作内容に応じた情報がＣＰＵ１１へ入力される。つまり、ＭＦＰ１は、第２入力表示部２０が非動作である場合、第１入力表示部１９を介した情報の表示及び入力操作の受付を行う。また、ＭＦＰ１は、第２入力表示部２０が動作している場合、第１入力表示部１９及び第２入力表示部２０を介した情報の表示及び入力操作の受付を行う。
【００４４】
第１入力表示部１９、第２入力表示部２０を介して入力された内容はＣＰＵ１１に入力され、ＣＰＵ１１の処理内容に反映される。
【００４５】
ＣＰＵ１１は、原稿押さえ部４が開けられて第２入力表示部２０が動作している場合、ＭＦＰ１に対する設定作業中であるとみなし、ジョブ開始ボタンＣ１に対する入力を受け付けない。
第２入力表示部２０が動作している状態から原稿押さえ部４が閉じられて原稿押さえ部４が読取部１６に対向する位置に移動した場合、入力表示制御部２２は、ＭＦＰ１に対する設定作業が完了したものとみなし、第２入力部２０ｂによる入力受付を不可とし、第２表示部２０ａの全表示領域を単色（例えば白色）で塗りつぶす動作制御を行う。そして、ＣＰＵ１１は、ジョブ開始ボタンＣ１に対する入力に応じてジョブを開始可能な状態で待機する。
【００４６】
また、第１入力表示部１９、第２入力表示部２０のトップメニュー画面に表示される設定完了ボタン（例えば図２に示す設定完了ボタンＤ１等）に対する入力操作に対する操作が行われた場合にも、ＭＦＰ１に対する設定作業が完了したものとみなし、ＣＰＵ１１は、ジョブ開始ボタンＣ１に対する入力に応じてジョブを開始可能な状態で待機する。
【００４７】
次に、図９、図１０のフローチャートを用いてＭＦＰ１の処理の流れを説明する。
ＭＦＰ１の電源（図示略）が入れられると（ステップＳ１）、入力表示制御部２２は、原稿押さえ位置検出部２１により検出された原稿押さえ部４の位置を取得し、原稿押さえ部４が開いているか、即ち原稿押さえ部４の面部５が読取部１６の読取面部１６ａに対して非対向の位置にあるか判定する（ステップＳ２）。原稿押さえ部４が開いている場合（ステップＳ２：ＹＥＳ）、入力表示制御部２２は、第１入力表示部１９及び第２入力表示部２０を動作させる（ステップＳ３）。
【００４８】
ステップＳ３の処理後、入力表示制御部２２は、第２入力部２０ｂが入力操作を検知したか否かをチェックする（ステップＳ４）。第２入力部２０ｂが入力操作を検知した場合（ステップＳ４：ＹＥＳ）、第２入力部２０ｂの入力内容に応じて第２表示部２０ａの表示内容を変更させ（ステップＳ５）、ステップＳ５の処理により生じた第２表示部２０ａの表示内容の変更に基づいて第１表示部１９ａの表示内容を変更させる（ステップＳ６）。
【００４９】
ステップＳ６の処理後又はステップＳ４において第２入力部２０ｂが入力操作を検知しない場合（ステップＳ４：ＮＯ）、入力表示制御部２２は、第１入力部１９ｂが入力操作を検知したか否かをチェックする（ステップＳ７）。第１入力部１９ｂが入力操作を検知した場合（ステップＳ７：ＹＥＳ）、第１入力部１９ｂの入力内容に応じて第１表示部１９ａの表示内容を変更させ（ステップＳ８）、ステップＳ８の処理により生じた第１表示部１９ａの表示内容の変更に基づいて第２表示部２０ａの表示内容を変更させる（ステップＳ９）。
【００５０】
ステップＳ９の処理後又はステップＳ７において第１入力部１９ｂが入力操作を検知しない場合（ステップＳ７：ＮＯ）、入力表示制御部２２は、原稿押さえ位置検出部２１により検出された原稿押さえ部４の位置を取得し、原稿押さえ部４が閉じられたか、即ち原稿押さえ部４の面部５が読取部１６の読取面部１６ａに対して対向する位置へ移動したか否か判定する（ステップＳ１０）。原稿押さえ部４が閉じられていない場合（ステップＳ１０：ＮＯ）、入力表示制御部２２は、設定完了ボタンが押されたか否か判定する（ステップＳ１１）。
原稿押さえ部４の面部５が読取部１６の読取面部に対して対向する位置へ移動した場合（ステップＳ１０：ＹＥＳ）又は設定完了ボタンが押された場合（ステップＳ１１：ＹＥＳ）、入力表示制御部２２は、第２入力部２０ｂによる入力受付を不可とし、第２表示部２０ａの全表示領域を単色（例えば白色）で塗りつぶす動作制御を行う（ステップＳ１２）。そして、ＣＰＵ１１は、ジョブ開始ボタンに対する入力操作を受付可能とする（ステップＳ１３）。
設定完了ボタンが押されていない場合（ステップＳ１１：ＮＯ）、ステップＳ４の処理に戻る。
【００５１】
一方、ステップＳ２の判定において原稿押さえ部４が閉じている、即ち即ち原稿押さえ部４の面部５が読取部１６の読取面部に対向している場合（ステップＳ２：ＮＯ）、入力表示制御部２２は、第１入力表示部１９を動作させる（ステップＳ１４）。そして、入力表示制御部２２は、第１入力部１９ｂが入力操作を検知したか否かをチェックする（ステップＳ１５）。第１入力部１９ｂが入力操作を検知した場合（ステップＳ１５：ＹＥＳ）、第１入力部１９ｂの入力内容に応じて第１表示部１９ａの表示内容を変更させる（ステップＳ１６）。
【００５２】
ステップＳ１６の処理後又はステップＳ１５において第１入力部１９ｂが入力操作を検知しない場合（ステップＳ１５：ＮＯ）、入力表示制御部２２は、設定完了ボタンが押されたか否か判定する（ステップＳ１７）。設定完了ボタンが押された場合（ステップＳ１７：ＹＥＳ）、ステップＳ１３の処理が行われる。設定完了ボタンが押されていない場合（ステップＳ１７：ＮＯ）、ステップＳ２の処理に戻る。
【００５３】
ステップＳ１３の処理後、ＣＰＵ１１は、ジョブ開始ボタンＣ１が押されるまで待機する（ステップＳ１８：ＮＯ）。ジョブ開始ボタンＣ１が押されると（ステップＳ１８：ＹＥＳ）、ＣＰＵ１１はジョブを処理し（ステップＳ１９）、その後処理を終了する。
【００５４】
以上、本実施形態によれば、ＭＦＰ１は、情報を表示する第１表示部１９ａと第１表示部１９ａに対する入力操作を受け付ける第１入力部１９ｂとを有する第１入力表示部１９と、読取部１６との間に原稿を挟む原稿押さえ部４と、読取部１６に対する原稿押さえ部４の対面状態を切替可能に原稿押さえ部４を回動可能に支持する支持部６と、読取部１６の読取面部１６ａと対面する原稿押さえ部４の面部５に設けられた第２表示部２０ａと第２表示部２０ａに対する入力操作を受け付ける第２入力部２０ｂとを有する第２入力表示部２０と、読取部１６に対する原稿押さえ部４の対面状態を検出する原稿押さえ位置検出部２１と、原稿押さえ位置検出部２１により検出された原稿押さえ部４の対面状態に基づいて、第２入力表示部２０の動作と非動作とを切り替える入力表示制御部２２と、を備える。
これによって、第１入力表示部１９とは異なる第２入力表示部２０を、原稿押さえ部４の面部５に設けることができる。第２表示部２０ａは、第１表示部１９ａに比して大きな表示面を有するので、一の表示内容に基づく情報量をより多くすることができる。
さらに、第２入力表示部２０は、原稿押さえ部４の面部５に設けられるので、大型の表示部やタッチパネルを設けるためのスペースをＭＦＰ１に別途設けることなく、大型の表示部を設けることができる。つまり、画像読取装置を大型化させることなく一の表示内容に基づく情報量をより多く表示させることが可能な第２表示部２０ａを設けることができる。
さらに、第２入力表示部２０はタッチパネルとして機能するので、従来のタッチパネルに対する入力操作と同様の感覚で第２表示部２０ａの表示内容に対する入力操作を行うことができる。加えて、第２表示部２０ａは、第１表示部１９ａに比して大きな表示面を有することにより一の表示内容に基づく情報量をより多くすることができるので、表示内容に対する入力操作内容の選択肢が広がり、表示内容に対する入力操作をより快適に行うことができる。
加えて、第１入力表示部１９を備えるので、原稿押さえ部４と読取部１６とにより原稿を挟んでいるとき等、原稿押さえ部４の面部５が読取部１６の読取面部１６ａと対面していて第２入力表示部２０を用いた情報表示及び入力操作の受付を行うことができない場合、第１入力表示部１９による情報表示及び入力操作の受付を行うことができる。
【００５５】
さらに、入力表示制御部２２は、原稿押さえ部４の面部５が読取部１６の読取面部１６ａと対面する場合に第２入力表示部２０を非動作とし、原稿押さえ部４の面部５が読取部１６の読取面部１６ａに対して対面しない場合に第２入力表示部２０を動作させる。
これによって、原稿押さえ部４の面部５が読取部１６の読取面部１６ａと対面するか否かに応じて自動的に第２入力表示部２０の動作／非動作が切り替わるので、ユーザは第２入力表示部２０の動作／非動作の切替操作を行う必要がない。よって、入力操作に係る煩雑な操作を行うことのない、より快適な入力操作を提供することができる。
【００５６】
さらに、入力表示制御部２２は、第２入力表示部２０を動作させる場合に第１表示部１９ａの表示内容に基づいて第２表示部２０ａの表示内容を決定する。
これによって、第１入力表示部１９を用いた情報表示及び入力操作の受付と、第２入力表示部２０を用いた情報表示及び入力操作の受付とを連動させることができるので、ユーザがいつでも任意の入力表示部を用いた情報確認及び入力操作を行うことができる。また、第１入力表示部１９を用いた情報表示及び入力操作の受付が開始された後、原稿押さえ部４が開かれたことによって第２入力表示部２０が動作する場合に、第２表示部２０ａの表示内容を第１表示部１９ａに基づいて決定することによって、第１入力表示部１９を用いた情報表示及び入力操作の受付の内容を第２入力表示部２０に引き継がせることができる。よって、第１入力表示部１９を用いた情報表示及び入力操作の受付から第２入力表示部２０を用いた情報表示及び入力操作の受付への移行を速やかに行うことができる。
【００５７】
さらに、ＭＦＰ１は、第１表示部１９ａの表示内容と第２表示部２０ａの表示内容とを対応付ける対応付けテーブルを記憶する記憶部１４を備え、入力表示制御部２２が、第１表示部１９ａの表示内容及び対応付けテーブルの内容に基づいて第２表示部２０ａの表示内容を決定する。
これによって、第１表示部１９ａの表示内容と第２表示部２０ａの表示内容の対応付けを予め行うことができる。例えば、第１表示部１９ａの表示内容に基づいて行うことができる入力操作内容と第２表示部２０ａの表示内容に基づいて行うことができる入力操作内容とがほぼ同様となるように第１表示部１９ａの表示内容と第２表示部２０ａの表示内容とを対応付けることで、第１入力表示部１９を用いた情報表示及び入力操作の受付と、第２入力表示部２０を用いた情報表示及び入力操作の受付とを連動させることができるので、ユーザがいつでも任意の入力表示部を用いた情報確認及び入力操作を行うことができる。
【００５８】
さらに、対応付けテーブルは、第１表示部１９ａに表示される一又は複数の表示内容と第２表示部２０ａに表示される一の表示内容とを対応付ける。
これによって、第１表示部１９ａに比して大きな表示領域を有する第２表示部２０ａに表示される一の表示内容に、第１表示部１９ａに表示される複数の表示内容に対応する内容を含めることができるので、第２表示部２０ａにより表示される一の表示内容に基づく情報量をより多くすることができる。加えて、第２入力表示部２０の表示内容に対する入力操作内容の選択肢を広げることができ、表示内容に対する入力操作をより快適に行うことができる。
【００５９】
さらに、対応付け情報は、第１表示部１９ａに表示される所定の表示内容を第２表示部２０ａに表示される表示内容と対応付けず、入力表示制御部２２は、第１表示部１９ａに表示される所定の表示内容に対応する第２表示部２０ａの表示をさせない。
これによって、所定の表示内容に基づく情報の入力の秘匿性を高めることができる。例えば秘匿性を求められる情報の表示について、対応付けテーブルにおいて第２表示部２０ａの表示内容と対応付けないことにより、第１表示部１９ａを用いた情報の入力の秘匿性を高めることができる。
【００６０】
さらに、第１入力表示部１９又は第２入力表示部２０に対する入力操作により変更された情報を、変更されていない情報と識別可能に表示させる。
これによって、第１表示部１９ａ、第２表示部２０ａの表示内容を見ることにより、第１入力表示部１９又は第２入力表示部２０に対する入力操作により変更された情報と変更されていない情報とを明瞭に区別することができる。
【００６１】
なお、本発明の実施の形態は、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６２】
例えば、第２入力表示部は、原稿押さえ部の面部の全面又はほぼ全面を用いず、その一部を用いて設けてもよい。
図１１に、原稿押さえ部の一部分に第２入力表示部を設けた一例を示す。
図１１に示すＭＦＰ１Ａの原稿押さえ部は、それぞれ独立して回動可能に設けられた二つの原稿押さえ部４Ａ、４Ｂである。原稿押さえ部４Ａ、４Ｂは、その面部が読取部１６の読取面部１６ａと対向する位置となったときに、読取部１６の読取面部１６ａをその長手方向の辺についてほぼ二分した左右の読取面部１６ａを覆うように設けられている。
図１１に示すように、一方の原稿押さえ部４Ａは、その面部に第２入力表示部２０Ａを有する。第２入力表示部２０Ａは、大きさを除いて第２入力表示部２０と同様の構成である。
【００６３】
図１１に示すように、原稿押さえ部の一部分に第２入力表示部２０Ａを設けた場合、原稿押さえ部の面部の全面又はほぼ全面を用いて設けられた第２入力表示部２０に比して表示面及び入力操作可能な面の大きさが小さくなるものの、従来のタッチパネルに比して表示面及び入力操作可能な面の大きさが大きい入力表示装置を設けることができるので、上記実施形態とほぼ同様の効果を得られる。
加えて、第２入力表示部２０Ａが設けられていない原稿押さえ部４Ｂを、原稿押さえ部４Ａと独立して用いることができるので、原稿押さえ部４Ｂと読取部１６とで原稿を挟みながら第２入力表示部２０Ａを用いた情報の確認及び入力操作を行うことができる。また、図１１に示すように、原稿押さえ部４Ｂに自動原稿読取装置（ＡＤＦ）が設けられている場合、自動原稿読取装置の使用中にも第２入力表示部２０Ａを用いた情報の確認及び入力操作を行うことができる。
【００６４】
図１１に示すＭＦＰ１Ａの二つの原稿押さえ部４Ａ、４Ｂはそれぞれ、その面部が読取部１６の読取面部１６ａと対向する位置となったときに、読取部１６の読取面部１６ａのほぼ半分ずつを覆うことが可能に設けられているが、二つの原稿押さえ部４Ａ、４Ｂの大きさ及びそれぞれが読取部１６の読取面部１６ａを覆う範囲の割合は特に限定されるものではない。
【００６５】
また、上記の実施形態における各構成は、同様の機能を有する別構成に置換可能である。その一例として、上記の実施形態における入力部２０ｂは抵抗膜方式を用いているが、例えば静電容量方式や電磁誘導方式、赤外線方式、表面弾性波方式、マトリクススイッチ方式等、第１表示部１９ａと協働してタッチパネルとして機能する構成であればその具体的構成は問わない。また、上記の実施形態における原稿押さえ位置検出部２１は光センサを用いているが、例えば原稿押さえ部４の開閉に応じてＯＮ／ＯＦＦの切替が行われるスイッチや電極等の接触の有無等、原稿押さえ部４の位置の変更を検出可能な構成であればその具体的構成は問わない。
【００６６】
また、上記の実施形態では画像読取装置としての機能を有するＭＦＰを一例として挙げているが、ＭＦＰに限らず、画像読取装置としての機能を有する装置であれば本発明を適用することができる。
【００６７】
なお、本発明の記載における「原稿」とは、画像読取装置の読取部に載置して読み取り可能な全ての物品を指すものであり、紙媒体に限らない。
【符号の説明】
【００６８】
１     ＭＦＰ
４     原稿押さえ部
５     面部
６     支持部
１４   記憶部
１６   読取部
１６ａ 読取面部
１７   画像処理部
１９   第１入力表示部
１９ａ 第１表示部
１９ｂ 第１入力部
２０   第２入力表示部
２０ａ 第２表示部
２０ｂ 第２入力部
２１   原稿押さえ位置検出部
２２   入力表示制御部
【図１】
0005640522.tif 000002
【図２】
0005640522.tif 000003
【図３】
0005640522.tif 000004
【図４】
0005640522.tif 000005
【図５】
0005640522.tif 000006
【図６】
0005640522.tif 000007
【図７】
0005640522.tif 000008
【図８】
0005640522.tif 000009
【図９】
0005640522.tif 000010
【図１０】
0005640522.tif 000011
【図１１】
0005640522.tif 000012